(57)【要約】【課題】  地上アナログ放送の放送終了後においても動作に悪影響を受けない。【解決手段】  ＳＷ２２の第１の切換状態においては、入力された４７０ＭＨｚ以上のＵＨＦ帯の入力信号を第３増幅器２３で増幅すると共に、第１増幅器１２および第２増幅器１５に電源を供給して９０ＭＨｚ〜１０８ＭＨｚおよび１７０ＭＨｚ〜２２２ＭＨｚのＶＨＦ帯の信号を増幅する。ＳＷ２２の第２の切換状態においては、入力された４７０ＭＨｚ以上のＵＨＦ帯の入力信号を７１０ＭＨｚ以下の周波数帯域に制限して第３増幅器２３で増幅すると共に、第１増幅器１２および第２増幅器１５の電源を遮断してＶＨＦ帯の入力信号を増幅しないようにする。【選択図】  図１
2008278374.tif 000002
【特許請求の範囲】
【請求項１】
入力信号を９０ＭＨｚ〜１０８ＭＨｚの周波数帯域に帯域制限して増幅する第１増幅手段と、
入力信号を１７０ＭＨｚ〜２２２ＭＨｚの周波数帯域に帯域制限して増幅する第２増幅手段と、
４７０ＭＨｚ以上の周波数帯域の入力信号を増幅する第３増幅手段と、
前記第１増幅手段、前記第２増幅手段および前記第３増幅手段の出力を混合して出力する混合手段と、
第１の切換状態において、入力された４７０ＭＨｚ以上の周波数帯域の入力信号を前記第３増幅手段に供給すると共に、前記第１増幅手段および前記第２増幅手段に電源を供給するようにし、第２の切換状態において、入力された４７０ＭＨｚ以上の周波数帯域の入力信号を７１０ＭＨｚ以下の周波数帯域に制限して前記第３増幅手段に供給すると共に、前記第１増幅手段および前記第２増幅手段に供給する電源を遮断するようにしたスイッチ手段と、
を備えるようにしたことを特徴とするテレビジョン受信機用ブースタ。
【請求項２】
入力信号を９０ＭＨｚ〜１０８ＭＨｚの周波数帯域に帯域制限して増幅する第１増幅手段と、
入力信号を１７０ＭＨｚ〜２２２ＭＨｚの周波数帯域に帯域制限して増幅する第２増幅手段と、
４７０ＭＨｚ以上の周波数帯域の入力信号を増幅する第３増幅手段と、
前記第１増幅手段、前記第２増幅手段および前記第３増幅手段の出力を混合して出力する混合手段と、
２２２ＭＨｚ以下の周波数帯域の入力信号を前記第１増幅手段および前記第２増幅手段に供給するか、前記第１増幅手段および前記第２増幅手段をパスさせて前記混合手段に直接供給するかを切り換える第１スイッチ手段と、
第１の切換状態において、入力された４７０ＭＨｚ以上の周波数帯域の入力信号を前記第３増幅手段に供給すると共に、前記第１スイッチ手段を制御して２２２ＭＨｚ以下の周波数帯域の入力信号を前記第１増幅手段および前記第２増幅手段に供給し、さらに前記第１増幅手段および前記第２増幅手段に電源を供給するようにし、第２の切換状態において、入力された４７０ＭＨｚ以上の周波数帯域の入力信号を７１０ＭＨｚ以下の周波数帯域に制限して前記第３増幅手段に供給すると共に、前記第１スイッチ手段を制御して２２２ＭＨｚ以下の周波数帯域の入力信号を前記第１増幅手段および前記第２増幅手段をパスさせて直接前記混合手段に供給し、さらに前記第１増幅手段および前記第２増幅手段に供給する電源を遮断するようにした第２スイッチ手段と、
を備えるようにしたことを特徴とするテレビジョン受信機用ブースタ。
【発明の詳細な説明】
【技術分野】
【０００１】
本発明は、地上アナログ放送や地上ディジタル放送およびＦＭ放送の受信信号を増幅してテレビジョン受信機に供給するテレビジョン受信機用ブースタに関する。
【背景技術】
【０００２】
現在、日本で割り当てされている周波数は多種の用途で使用されており、テレビジョン放送用の周波数帯域においても近隣の周波数帯域はアマチュア無線・防災無線・携帯電話等に使用されている。ところで、テレビジョン放送の受信信号の強度が不十分な場合や受信信号を複数に分配する場合には、テレビジョン放送の受信信号の強度が十分になるようテレビジョン受信機用ブースタを設けるようにしている。このようなテレビジョン受信機用ブースタにおいては、テレビジョン放送やＦＭ放送の周波数帯域外の不要な周波数帯域をカットして安定に増幅動作を行えるブースタとされている。
【発明の開示】
【発明が解決しようとする課題】
【０００３】
現在、使用しているテレビジョン受信機用ブースタの機種としては、地上アナログ放送および地上デジタル放送や衛星放送を増幅する機種、地上アナログ放送および地上デジタル放送を増幅する機種が知られている。しかし、２０１１年７月から地上アナログ放送は全国で放送終了するようになり、その周波数帯域は他の用途に割り当てられるようになる。また、地上アナログ放送が終了した後の地上デジタル放送において必要となる周波数帯域は４７０ＭＨｚ〜７１０ＭＨｚのみになり、７１０ＭＨｚ〜７７０ＭＨｚの周波数帯域は他の用途に割り当てられる予定とされている。すると、地上アナログ放送の放送終了後、テレビジョン受信機用ブースタにおいて他の用途に割り当てられる周波数帯域の信号が増幅されると、テレビジョン放送以外の目的外の種々の信号が増幅されるようになり、テレビジョン受信機用ブースタの動作に悪影響を及ぼす恐れがあるという問題点があった。
【０００４】
そこで、本発明は地上アナログ放送の放送終了後においても動作に悪影響を受けないテレビジョン受信機用ブースタを提供することを目的としている。
【課題を解決するための手段】
【０００５】
上記目的を達成するために、本発明のテレビジョン受信機用ブースタは、第１の切換状態において、入力された４７０ＭＨｚ以上のＵＨＦ帯の入力信号を第３増幅手段に供給して増幅すると共に、ＶＨＦ帯の入力信号を増幅する第１増幅手段および第２増幅手段に電源を供給するようにし、第２の切換状態において、入力された４７０ＭＨｚ以上のＵＨＦ帯の入力信号を７１０ＭＨｚ以下の周波数帯域に制限して第３増幅手段に供給すると共に、第１増幅手段および第２増幅手段に供給する電源を遮断するようにしたスイッチ手段を備えることを最も主要な特徴としている。
【発明の効果】
【０００６】
本発明は、第１の切換状態において、入力された４７０ＭＨｚ以上のＵＨＦ帯の入力信号を第３増幅手段に供給して増幅すると共に、ＶＨＦ帯の入力信号を増幅する第１増幅手段および第２増幅手段に電源を供給するようにし、第２の切換状態において、入力された４７０ＭＨｚ以上のＵＨＦ帯の入力信号を７１０ＭＨｚ以下の周波数帯域に制限して第３増幅手段に供給すると共に、第１増幅手段および第２増幅手段に供給する電源を遮断するようにしたスイッチ手段を備えることから、地上アナログ放送が放送終了した後は、スイッチ手段を第２の切換状態に切り換えることにより、地上アナログ放送終了後にその周波数帯域が他の用途で使用されても悪影響を受けることを防止することができる。また、一度のスイッチ操作で、所定の周波数帯域の地上デジタル放送のみを増幅することができるテレビジョン受信機用ブースタとなり、アナログ放送終了前に設置した場合でも他の用途に割り当てられる周波数からの悪影響を改善できる。さらに、地上アナログ放送用の増幅回路の電力が削減できるため、省エネ効果もある。
【発明を実施するための最良の形態】
【０００７】
本発明の第１実施例のテレビジョン受信機用ブースタの構成を示す回路ブロック図を図１に示す。
図１に示す第１実施例のテレビジョン受信機用ブースタ１は、入力端子ＩＮから入力された入力信号のうちＶＨＦ帯の地上アナログ放送である２２２ＭＨｚ以下の周波数帯域の信号を通過させる低域通過フィルタ（ＬＰＦ）１０と、入力信号のうち地上デジタル放送の周波数帯域である４７０ＭＨｚ以上のＵＨＦ帯の信号を通過させる高域通過フィルタ（ＨＰＦ）２０を備えている。ＬＰＦ１０を通過したＶＨＦ帯の信号からは、バンドパスフィルタ（ＢＰＦ）１１により低帯域の地上アナログ放送の９０ＭＨｚ〜１０８ＭＨｚ（ＶＨＦ・Ｌ）の周波数帯域の信号が抽出されると共に、バンドパスフィルタ（ＢＰＦ）２０により高帯域の地上アナログ放送の１７０ＭＨｚ〜２２２ＭＨｚ（ＶＨＦ・Ｈ）の周波数帯域の信号が抽出される。ＢＰＦ１１からの９０ＭＨｚ〜１０８ＭＨｚの周波数帯域の信号は第１増幅器（ＡＭＰ１）１２により増幅され、１０８ＭＨｚ以下の周波数帯域を通過させるＬＰＦ１３を介して２２２ＭＨｚ以下の周波数帯域を通過させるＬＰＦ１７に供給される。また、ＢＰＦ１４からの１７０ＭＨｚ〜２２２ＭＨｚの周波数帯域の信号は第２増幅器（ＡＭＰ２）１５により増幅され、１７０ＭＨｚ以上の周波数帯域を通過させるＨＰＦ１６を介して２２２ＭＨｚ以下の周波数帯域を通過させるＬＰＦ１７に供給される。ＬＰＦ１７からは増幅された９０ＭＨｚ〜１０８ＭＨｚの周波数帯域の信号と増幅された１７０ＭＨｚ〜２２２ＭＨｚの周波数帯域の信号とが混合され、ＶＨＦ帯の信号が出力端子ＯＵＴから出力される。
【０００８】
一方、ＨＰＦ２０を通過したＵＨＦ帯の信号はスイッチ（ＳＷ）２２における第１回路の可動接点ａに供給される。ＳＷ２２における第１回路の固定接点ｂと第２回路の固定接点ｅとは７１０ＭＨｚ以下のＵＨＦ帯の信号のみを通過させるＬＰＦ２１を介して接続され、第１回路の固定接点ｃと第２回路の固定接点ｆとは直流カット用のコンデンサＣ１を介して接続されている。また、固定接点ｆには第２チョークコイルＬ２を介して電源２５から直流電源が供給されており、第２チョークコイルＬ２と電源２５との接続点はバイパスコンデンサＣ３を介してアースされている。 さらに、ＳＷ２２における第２回路の可動接点ｄは結合コンデンサＣ２を介して電源２５から直流電源が常時供給されている第３増幅器（ＡＭＰ３）２３に供給され、第３増幅器２３により増幅された信号は４７０ＭＨｚ以上のＵＨＦ帯の信号を通過させるＨＰＦ２４を介して出力端子ＯＵＴから出力される。また、ＳＷ２２における第２回路の可動接点ｄは第１チョークコイルＬ１を介して第１増幅器１２および第２増幅器１５の電源部に接続されており、第１チョークコイルＬ１を介して第１増幅器１２および第２増幅器１５の電源部との接続点はバイパスコンデンサＣ４を介してアースされている。
【０００９】
ここで、ＳＷ２２を図示する第１の切換状態として第１回路の可動接点ａと固定接点ｃとを接続すると共に、第２回路の可動接点ｄと固定接点ｆとを接続する。これにより、可動接点ａ−固定接点ｃ−コンデンサＣ１−固定接点ｆ−可動接点ｄ−コンデンサＣ２の経路でＨＰＦ２０を通過した４７０ＭＨｚ以上のＵＨＦ帯の信号が第３増幅器２３に供給されて増幅される。また、第２チョークコイルＬ２−固定接点ｆ−可動接点ｄ−第１チョークコイルＬ１の経路で電源２５からの直流電源が第１増幅器１２および第２増幅器１５の電源部に供給され、第１増幅器１２および第２増幅器１５は動作状態となる。なお、第３増幅器２３には電源２５から直流電源が常時供給されている。第１増幅器１２および第２増幅器１５が動作状態となると、ＶＨＦ・Ｌの周波数帯域の信号が第１増幅器１２により増幅され、ＶＨＦ・Ｈの周波数帯域の信号が第２増幅器１５により増幅される。これにより、出力端子ＯＵＴからは増幅されたＶＨＦ・ＬおよびＶＨＦ・Ｈの周波数帯域の信号および４７０ＭＨｚ以上のＵＨＦ帯の信号が混合されて出力されるようになる。
【００１０】
また、ＳＷ２２を図示する第１の切換状態と逆側の第２の切換状態に切り換えて第１回路の可動接点ａと固定接点ｂを接続すると共に、第２回路の可動接点ｄと固定接点ｅを接続する。これにより、可動接点ａ−固定接点ｂ−ＬＰＦ２１−固定接点ｅ−可動接点ｄ−コンデンサＣ２の経路でＬＰＦ２１を通過した４７０ＭＨｚ〜７１０ＭＨｚに帯域制限されたＵＨＦ帯の信号が第３増幅器２３で増幅される。また、ＳＷ２２における第２回路の固定接点ｆと可動接点ｄとの間が開放されるため、電源２５からの直流電源が第１増幅器１２および第２増幅器１５に供給されず、第１増幅器１２および第２増幅器１５は動作停止状態となる。これにより、出力端子ＯＵＴからは増幅された４７０ＭＨｚ〜７１０ＭＨｚのＵＨＦ帯の信号のみが出力されるようになる。
このように、地上アナログ放送の終了後においてはＳＷ２２を第１の切換状態から第２の切換状態に切り換えることにより、第１実施例のテレビジョン受信機用ブースタ１は４７０ＭＨｚ〜７１０ＭＨｚに帯域制限したＵＨＦ帯の信号のみを増幅して出力することから、テレビジョン放送以外の用途に割り当てられる周波数の信号を増幅しないようになり、第１実施例のテレビジョン受信機用ブースタ１の動作に悪影響を及ぼすことを防止することができる。
【００１１】
次に、本発明の第２実施例のテレビジョン受信機用ブースタの構成を示す回路ブロック図を図２に示す。
図２に示す第２実施例のテレビジョン受信機用ブースタ２においては、入力端子ＩＮから入力された入力信号のうちＶＨＦ帯の地上アナログ放送である２２２ＭＨｚ以下の周波数帯域の信号はＬＰＦ１０を通過して第１リレーＲＹ１の可動接点ａ１に供給される。第１リレーＲＹ１の常開接点ｂ１はＢＰＦ１１およびＢＰＦ１４に接続されている。ＢＰＦ１１はＬＰＦ１０を通過したＶＨＦ帯の信号からＶＨＦ・Ｌの周波数帯域の信号を抽出し、ＢＰＦ２０はＶＨＦ・Ｈの周波数帯域の信号を抽出する。ＢＰＦ１１から出力されたＶＨＦ・Ｌの周波数帯域の信号は第１増幅器（ＡＭＰ１）１２により増幅され、１０８ＭＨｚ以下の周波数帯域を通過させるＬＰＦ１３を介して第２リレーＲＹ２の常開接点ｂ２に供給される。
【００１２】
また、ＢＰＦ１４からのＶＨＦ・Ｈの周波数帯域の信号は第２増幅器（ＡＭＰ２）１５により増幅され、１７０ＭＨｚ以上の周波数帯域を通過させるＨＰＦ１６を介して第２リレーＲＹ２の常開接点ｂ２に供給される。第２リレーＲＹ２の可動接点ａ２は、２２２ＭＨｚ以下の周波数帯域を通過させるＬＰＦ１７に供給され、ＬＰＦ１７からは増幅されたＶＨＦ・ＬおよびＶＨＦ・Ｈの周波数帯域の信号とが混合され、このＶＨＦ帯の信号が出力端子ＯＵＴから出力される。さらに、第１リレーＲＹ１の常閉接点ｃ１と第２リレーＲＹ２の常閉接点ｃ２とはパスライン１８により接続されている。
【００１３】
入力信号のうち地上デジタル放送の周波数帯域である４７０ＭＨｚ以上のＵＨＦ帯の信号はＨＰＦ２０を通過してＳＷ２２における第１回路の可動接点ａに供給される。この場合、ＬＰＦ２１，ＳＷ２２，第３増幅器（ＡＭＰ３）２３，ＨＰＦ２４，電源２５，第１チョークコイルＬ１，第２チョークコイルＬ２，コンデンサＣ１，Ｃ２，Ｃ３，Ｃ４の接続関係については第１実施例のテレビジョン受信機用ブースタ１と同様とされているのでその説明は省略する。
【００１４】
ここで、ＳＷ２２を図示する第１の切換状態として第１回路の可動接点ａと固定接点ｃとを接続すると共に、第２回路の可動接点ｄと固定接点ｆとを接続する。これにより、可動接点ａ−固定接点ｃ−コンデンサＣ１−固定接点ｆ−可動接点ｄ−コンデンサＣ２の経路でＨＰＦ２０を通過した４７０ＭＨｚ以上のＵＨＦ帯の信号が第３増幅器２３に挙窮されて増幅される。また、第２チョークコイルＬ２−固定接点ｆ−可動接点ｄ−第１チョークコイルＬ１の経路で電源２５からの直流電源が第１増幅器１２および第２増幅器１５に供給され、第１増幅器１２および第２増幅器１５は動作状態となる。さらに、同じ経路により電源２５からの直流電源が第１リレーＲＹ１および第２リレーＲＹ２に印加されて、第１リレーＲＹ１の可動接点ａ１と常開接点ｂ１とが接続されると共に、第１リレーＲＹ２の可動接点ａ２と常開接点ｂ２とが接続されるよう駆動される。これにより、第１リレーＲＹ１の可動接点ａ１−常開接点ｂ１を介してＢＰＦ１１およびＢＰＦ１４に供給されたＶＨＦ帯の入力信号が動作状態とされた第１増幅器１２および第２増幅器１５により増幅される。この場合、ＶＨＦ・Ｌの周波数帯域の信号が第１増幅器１２により増幅され、ＶＨＦ・Ｈの周波数帯域の信号が第２増幅器１５により増幅される。第１増幅器１２により増幅されＬＰＦ１３を通過した出力と、第２増幅器１５により増幅されＨＰＦ１６を通過した出力は、第２リレーＲＹ２の常開接点ｂ２−可動接点ａ２を介して出力される。これにより、出力端子ＯＵＴからは増幅されたＶＨＦ・ＬおよびＶＨＦ・Ｈの周波数帯域の信号および４７０ＭＨｚ以上のＵＨＦ帯の信号が混合されてＬＰＦ１７を介して出力されるようになる。
【００１５】
また、ＳＷ２２を図示する第１の切換状態と逆側の第２の切換状態に切り換えて第１回路の可動接点ａと固定接点ｂとを接続すると共に、第２回路の可動接点ｄと固定接点ｅとを接続する。これにより、可動接点ａ−固定接点ｂ−ＬＰＦ２１−固定接点ｅ−可動接点ｄ−コンデンサＣ２の経路でＬＰＦ２１を通過した４７０ＭＨｚ〜７１０ＭＨｚのＵＨＦ帯に帯域制限された信号が第３増幅器２３で増幅される。また、ＳＷ２２における第２回路の固定接点ｆと可動接点ｄとの間が開放されるため、電源２５からの直流電源が第１増幅器１２および第２増幅器１５に供給されず、第１増幅器１２および第２増幅器１５は動作停止状態となる。さらに、第１リレーＲＹ１および第２リレーＲＹ２にも電源２５から直流電源が供給されず駆動されないようになり、第１リレーＲＹ１の可動接点ａ１は常閉接点ｃ１に接続され、第２リレーＲＹ２の可動接点ａ２は常閉接点ｃ２に接続されるようになる。これにより、第１リレーＲＹ１の可動接点ａ１−常閉接点ｃ１−パスライン１８−第２リレーＲＹ２の常閉接点ｃ２−可動接点ａ２の経路を介して、ＬＰＦ１０を通過した２２２ＭＨｚ以下のＶＨＦ帯の信号が増幅されることなくＬＰＦ１７を介して出力されるようになる。従って、出力端子ＯＵＴからは増幅された４７０ＭＨｚ〜７１０ＭＨｚのＵＨＦ帯の信号と、増幅されることのない２２２ＭＨｚ以下のＶＨＦ帯の信号が混合されて出力されるようになる。
【００１６】
このように、地上アナログ放送の終了後においてはＳＷ２２を第１の切換状態から第２の切換状態に切り換えることにより、第２実施例のテレビジョン受信機用ブースタ２は増幅された４７０ＭＨｚ〜７１０ＭＨｚに帯域制限されたＵＨＦ帯の信号と、増幅されることのない２２２ＭＨｚ以下のＶＨＦ帯の信号を出力することから、テレビジョン放送以外の用途に割り当てられた周波数の信号を増幅しないようになり、第２実施例のテレビジョン受信機用ブースタ２の動作に悪影響を及ぼすことを防止することができる。なお、２２２ＭＨｚ以下のＶＨＦ帯の信号にはＦＭ放送の受信信号が含まれており、地上アナログ放送の終了後においても出力端子ＯＵＴにＦＭチューナを接続することによりＦＭ放送を受信することができる。また、パスライン１８にＦＭ放送の周波数帯域のみ通過させるフィルタを挿入するようにしてもよい。
【００１７】
次に、本発明にかかる第１実施例のテレビジョン受信機用ブースタ１および第２実施例のテレビジョン受信機用ブースタ２にかかるゲインの周波数特性を図３ないし図５に示す。
図３に示すゲインの周波数特性は、第１実施例のテレビジョン受信機用ブースタ１および第２実施例のテレビジョン受信機用ブースタ２においてＳＷ２２を図１および図２に示す第１の切換状態に切り換えた際のゲインの周波数特性とされている。図３を参照すると、９０ＭＨｚ〜１０８ＭＨｚのＶＨＦ・Ｌおよび１７０ＭＨｚ〜２２２ＭＨｚのＶＨＦ・Ｈの周波数帯域において約３０ｄＢのゲインが得られていると共に、４７０ＭＨｚ〜７７０ＭＨｚのＵＨＦ帯において約３４ｄＢ以上のゲインが得られている。また、約９０ＭＨｚ以下の周波数帯域、約２４０ＭＨｚ〜約４７０ＭＨｚ、７７０ＭＨｚを超える周波数帯域においてゲインが低下しており、ＶＨＦ帯およびＵＨＦ帯のテレビジョン放送の周波数帯域の信号の強度が十分になるように増幅していることがわかる。
【００１８】
また、図４に示すゲインの周波数特性は第１実施例のテレビジョン受信機用ブースタ１において、ＳＷ２２を第１の切換状態から第２の切換状態に切り換えた際のゲインの周波数特性である。図４を参照すると、４７０ＭＨｚ〜７１０ＭＨｚに帯域制限されたＵＨＦ帯において約３３ｄＢ以上の十分なゲインが得られており、他の周波数帯域においてはゲインが低下していることがわかる。このように、地上アナログ放送の終了後においてはＳＷ２２を第１の切換状態から第２の切換状態に切り換えることにより、第１実施例のテレビジョン受信機用ブースタ１は４７０ＭＨｚ〜７１０ＭＨｚに帯域制限されたＵＨＦ帯の信号のみを増幅して出力するようになる。従って、テレビジョン放送以外の用途に割り当てられる周波数帯域を増幅しないようになり、第１実施例のテレビジョン受信機用ブースタ１の動作に悪影響を及ぼすことを防止できることがわかる。
【００１９】
さらに、図５に示すゲインの周波数特性は第２実施例のテレビジョン受信機用ブースタ２において、ＳＷ２２を第１の切換状態から第２の切換状態に切り換えた際のゲインの周波数特性である。図５を参照すると、４７０ＭＨｚ〜７１０ＭＨｚに帯域制限されたＵＨＦ帯において約３３ｄＢ以上の十分なゲインが得られていると共に、９０ＭＨｚ〜２２２ＭＨｚのＶＨＦ帯のゲインは約０ｄＢとされている。このように、地上アナログ放送の終了後においてはＳＷ２２を第１の切換状態から第２の切換状態に切り換えることにより、第２実施例のテレビジョン受信機用ブースタ２は４７０ＭＨｚ〜７１０ＭＨｚに帯域制限されたＵＨＦ帯の信号のみを増幅して出力すると共に、９０ＭＨｚ〜２２２ＭＨｚのＶＨＦ帯の信号をパスして出力するようにしている。従って、テレビジョン放送以外の用途に割り当てられる周波数帯域を増幅しないようになり、第２実施例のテレビジョン受信機用ブースタ２の動作に悪影響を及ぼすことを防止できることがわかる。
【産業上の利用可能性】
【００２０】
以上説明した本発明にかかるテレビジョン受信機用ブースタは、一般家庭におけるテレビジョン受信信号を増幅するブースタとして用いることができると共に、共同住宅におけるテレビジョン受信信号を増幅するブースタとしても用いることができる。
【図面の簡単な説明】
【００２１】
【図１】本発明の第１実施例のテレビジョン受信機用ブースタの構成を示す回路ブロック図である。
【図２】本発明の第２実施例のテレビジョン受信機用ブースタの構成を示す回路ブロック図である。
【図３】本発明の実施例のテレビジョン受信機用ブースタにおいて、第１の切換状態に切り換えた際のゲインの周波数特性を示す図である。
【図４】本発明の第１実施例のテレビジョン受信機用ブースタにおいて、第２の切換状態に切り換えた際のゲインの周波数特性を示す図である。
【図５】本発明の第２実施例のテレビジョン受信機用ブースタにおいて、第２の切換状態に切り換えた際のゲインの周波数特性を示す図である。
【符号の説明】
【００２２】
１  テレビジョン受信機用ブースタ、２  テレビジョン受信機用ブースタ、１０  ＬＰＦ、１１  ＢＰＦ、１２  第１増幅器、１３  ＬＰＦ、１４  ＢＰＦ、１５  第２増幅器、１６  ＨＰＦ、１７  ＬＰＦ、１８  パスライン、２０  ＨＰＦ、２１  ＬＰＦ、２２  スイッチ、２３  第３増幅器、２４  ＨＰＦ、２５  電源、ＩＮ  入力端子、ＯＵＴ  出力端子、ＲＹ１  第１リレー、ＲＹ２  第２リレー
【図１】
2008278374.tif 000003
【図２】
2008278374.tif 000004
【図３】
2008278374.tif 000005
【図４】
2008278374.tif 000006
【図５】
2008278374.tif 000007